(57)【特許請求の範囲】
【請求項１】
被検体を撮像する撮像素子と、
前記撮像素子により撮像された被検体の画像を表示可能な表示部と、
前記表示部に設けられたタッチパネルと、
前記タッチパネルに対する操作を検出する検出部と、
第１の動作モード又は第２の動作モードを設定する第１の設定部と、
前記第１の設定部により設定される動作モードに応じて、前記検出部により検出される操作を有効又は無効に設定する第２の設定部と、
を備え、
前記第２の設定部は、前記第１の設定部により前記第１の動作モードが設定された場合には、前記検出部により検出される全ての操作又は特定操作以外の操作を無効に設定し、前記第１の設定部により前記第２の動作モードが設定された場合には、前記検出部により検出される全ての操作を有効に設定し、
前記第１の設定部は、前記検出部による前記特定操作の検出に応じて、前記第２の動作モードを設定する、
ことを特徴とする内視鏡。
【請求項２】
前記特定操作は、前記タッチパネルに対する所定時間以上のタッチ操作である、
ことを特徴とする請求項１記載の内視鏡。
【請求項３】
メカニカルスイッチを更に備え、
前記第１の設定部は、前記メカニカルスイッチに対する所定時間以上の押下操作に応じて、前記第２の動作モードを設定する、
ことを特徴とする請求項１又は２記載の内視鏡。
【請求項４】
前記メカニカルスイッチに対する所定時間未満の押下操作が行われる場合には、前記押下操作が開始した時点に第１の機能を実行すると共に、前記押下操作が終了した時点に第２の機能を実行し、
前記メカニカルスイッチに対する所定時間以上の押下操作が行われる場合には、前記押
下操作が開始した時点に前記第１の機能を実行すると共に、前記押下操作が開始してから所定時間経過した時点に前記第１の機能の実行結果を破棄すると共に前記第１の設定部が前記第２の動作モードを設定する、
ことを特徴とする請求項３記載の内視鏡。
【請求項５】
外部装置と無線通信を行う無線通信部を更に備え、
前記第１の設定部により前記第１の動作モードが設定された場合には、前記無線通信部の機能をオフし、前記第１の設定部により前記第２の動作モードが設定された場合には、前記無線通信部の機能をオンする、
ことを特徴とする請求項１乃至４のいずれか一項に記載の内視鏡。
【請求項６】
前記表示部は、当該内視鏡の異常を報知する警告表示を行う際に、前記異常の報知優先度が相対的に高い場合には前記警告表示を前記第１の動作モード中及び前記第２の動作モード中に行い、前記異常の報知優先度が相対的に低い場合には前記警告表示を前記第２の動作モード中のみに行う、
ことを特徴とする請求項１乃至５のいずれか一項に記載の内視鏡。
【請求項７】
前記第１の動作モードは、観察モードであり、
前記第２の動作モードは、非観察モードである、
ことを特徴とする請求項１乃至６のいずれか一項に記載の内視鏡。
【発明の詳細な説明】
【技術分野】
【０００１】
本発明は、タッチパネル付ディスプレイを備えた内視鏡に関する。
【背景技術】
【０００２】
従来、内視鏡、光源、ビデオプロセッサ（映像信号処理装置）、及びモニタ等を一体として構成した携帯型内視鏡（所謂モバイル内視鏡）が知られている（例えば特許文献１参照）。携帯型内視鏡は、バッテリーを備えてスタンドアローンで使用することができることから、電源コンセントへの接続や他の機器（周辺機器）との接続が基本的に不要である。従って、例えば病院内の手術室、病棟、ＩＣＵ（Intensive Care Unit）、救急部門等といった多岐にわたる場所に持ち運んでそのまま使用することができる。
近年においては、携帯型内視鏡の更なる操作性向上の観点から、モニタの代わりに、表示機能と操作機能とを兼ね備えたタッチパネル付ディスプレイの採用が望まれている。
【先行技術文献】
【特許文献】
【０００３】
【特許文献１】特開２０１３−１７７８５号公報
【発明の概要】
【発明が解決しようとする課題】
【０００４】
しかしながら、携帯型内視鏡において、モニタの代わりにタッチパネル付ディスプレイを採用する場合には、次のような課題がある。
タッチパネルに対する、不意の接触、外乱の影響（例えば電気メス等による電磁波の影響等）、及び液体等の異物の付着等によって、タッチパネルに対するユーザ（医師等）の意図しない操作が検出されてしまい、ユーザの意図しない動作が行われてしまう虞がある。内視鏡検査中にそれが行われてしまうと、内視鏡検査の進行が妨げられる虞がある。
【０００５】
本発明は、上記実情に鑑み、内視鏡検査中に、タッチパネルに対するユーザの意図しない操作の検出を無効にすることができる内視鏡を提供することを目的とする。
【課題を解決するための手段】
【０００６】
本発明の第１の態様は、被検体を撮像する撮像素子と、前記撮像素子により撮像された被検体の画像を表示可能な表示部と、前記表示部に設けられたタッチパネルと、前記タッチパネルに対する操作を検出する検出部と、第１の動作モード又は第２の動作モードを設定する第１の設定部と、前記第１の設定部により設定される動作モードに応じて、前記検出部により検出される操作を有効又は無効に設定する第２の設定部と、を備え、前記第２の設定部は、前記第１の設定部により前記第１の動作モードが設定された場合には、前記検出部により検出される全ての操作又は特定操作以外の操作を無効に設定し、前記第１の設定部により前記第２の動作モードが設定された場合には、前記検出部により検出される全ての操作を有効に設定し、前記第１の設定部は、前記検出部による前記特定操作の検出に応じて、前記第２の動作モードを設定する、内視鏡を提供する。
【０００８】
本発明の第２の態様は、第１の態様において、前記特定操作は、前記タッチパネルに対する所定時間以上のタッチ操作である、内視鏡を提供する。
【０００９】
本発明の第３の態様は、第１又は２の態様において、メカニカルスイッチを更に備え、前記第１の設定部は、前記メカニカルスイッチに対する所定時間以上の押下操作に応じて、前記第２の動作モードを設定する、内視鏡を提供する。
【００１０】
本発明の第４の態様は、第３の態様において、前記メカニカルスイッチに対する所定時間未満の押下操作が行われる場合には、前記押下操作が開始した時点に第１の機能を実行すると共に、前記押下操作が終了した時点に第２の機能を実行し、前記メカニカルスイッチに対する所定時間以上の押下操作が行われる場合には、前記押下操作が開始した時点に前記第１の機能を実行すると共に、前記押下操作が開始してから所定時間経過した時点に前記第１の機能の実行結果を破棄すると共に前記第１の設定部が前記第２の動作モードを設定する、内視鏡を提供する。
【００１１】
本発明の第５の態様は、第１乃至第４のいずれか１つの態様において、外部装置と無線通信を行う無線通信部を更に備え、前記第１の設定部により前記第１の動作モードが設定された場合には、前記無線通信部の機能をオフし、前記第１の設定部により前記第２の動作モードが設定された場合には、前記無線通信部の機能をオンする、内視鏡を提供する。
【００１２】
本発明の第６の態様は、第１乃至第５のいずれか１つの態様において、前記表示部は、当該内視鏡の異常を報知する警告表示を行う際に、前記異常の報知優先度が相対的に高い場合には前記警告表示を前記第１の動作モード中及び前記第２の動作モード中に行い、前記異常の報知優先度が相対的に低い場合には前記警告表示を前記第２の動作モード中のみに行う、内視鏡を提供する。
【００１３】
本発明の第７の態様は、第１乃至第６のいずれか１つの態様において、前記第１の動作モードは、観察モードであり、前記第２の動作モードは、非観察モードである、内視鏡を提供する。
【発明の効果】
【００１４】
本発明によれば、内視鏡検査中に、タッチパネルに対するユーザの意図しない操作の検出を無効にすることができる、という効果を奏する。
【図面の簡単な説明】
【００１５】
【図１】第１の実施形態に係る内視鏡の外観構成例を示す図である。
【図２】第１の実施形態に係る内視鏡のシステム構成例を示す図である。
【図３】第１の実施形態に係る内視鏡の状態遷移例を示す図である。
【図４】第１の実施形態に係るＬＣＤの画面遷移例を示す図である。
【図５】第２の実施形態に係る内視鏡の状態遷移例を示す図である。
【図６】第２の実施形態に係るＬＣＤの画面遷移例を示す図である。
【図７】第３の実施形態に係る内視鏡の状態遷移例を示す図である。
【図８】第４の実施形態に係る内視鏡において、静止画撮影モード中にレリーズボタンが押下されたときに行われる動作の一例を示すタイミングチャートである。
【図９】第４の実施形態に係る内視鏡において、動画撮影モード中にレリーズボタンが押下されたときに行われる動作の一例を示すタイミングチャートである。
【図１０】第４の実施形態に係る内視鏡において、撮影モードボタンが押下されたときに行われる動作の一例を示すタイミングチャートである。
【図１１】第５の実施形態に係る内視鏡のシステム構成例を示す図である。
【図１２】第５の実施形態に係る内視鏡の動作の一例を示すフローチャートである。
【図１３】第５の実施形態の変形例に係る内視鏡の動作の一例を示すフローチャートである。
【図１４】第６の実施形態に係る内視鏡において、動作モードの設定（動作モードの遷移）に応じて行われる表示動作の一例を示すフローチャートである。
【図１５】異常の報知優先度が相対的に高い場合に、図１４のＳ５３で警告表示が行われるＬＣＤの表示画面例を示す図である。
【図１６】異常の報知優先度が相対的に低い場合に、図１４のＳ５３で警告表示が行われるＬＣＤの表示画面例を示す図である。
【発明を実施するための形態】
【００１６】
以下、図面を参照しながら、本発明の実施の形態について説明する。
＜第１の実施形態＞
本発明の第１の実施形態に係る内視鏡は、例えば医療機関（病院等）での内視鏡検査に使用される携帯型内視鏡である。
【００１７】
図１は、本実施形態に係る内視鏡の外観構成例を示す図である。
図１に示したように、本実施形態に係る内視鏡１は、上部にタッチパネル付ＬＣＤ（Liquid Crystal Display）２及び電源ボタン３等が設けられ、中央部に撮影モードボタン４及びレリーズボタン５等が設けられ、下部に挿入部６等が設けられる。
【００１８】
タッチパネル付ＬＣＤ２は、観察画像や各種の情報等を表示するモニタとしての機能と、ユーザ（医師等）からの各種の指示操作を受け付ける操作部としての機能を有する。
電源ボタン３は、内視鏡１の電源をオン又はオフする指示を行うためのボタンである。
【００１９】
撮影モードボタン４は、撮影モードの切り替え指示等を行うためのボタンである。より詳しくは、静止画撮影モードから動画撮影モードへの切り替え指示、又は、動画撮影モードから静止画撮影モードへの切り替え指示等を行うためのボタンである。
【００２０】
レリーズボタン５は、静止画撮影モード中の静止画撮影指示、又は、動画撮影モード中の動画撮影開始指示あるいは動画撮影終了指示等を行うためのボタンである。
なお、電源ボタン３、撮影モードボタン４、及びレリーズボタン５の各ボタンは、メカニカルスイッチである。
【００２１】
挿入部６は、内視鏡１において、被検体となる体腔内の被検部位に挿入される部分であり、硬質な先端部分とその他の軟質な部分（軟性部）からなる。
図２は、本実施形態に係る内視鏡１のシステム構成例を示す図である。
【００２２】
図２に示したように、内視鏡１は、光源２１、照明光学系２２、対物光学系２３、撮像素子２４、映像信号処理部２５、ＬＣＤ制御部２６、タッチパネル付ＬＣＤ２（ＬＣＤ２７、タッチパネル２８）、操作検出部２９、操作部３０、給電制御部３１、バッテリー３２、記録媒体３３、及びメイン制御部３４を含む。
【００２３】
光源２１は、例えば半導体光源であって、メイン制御部３４の制御の下に、照明光を出射する。
照明光学系２２は、光源２１から出射された照明光を、図示しないライトガイドファイバを介して導光し、被写体（被検体となる体腔内の被検部位）に照明する。
【００２４】
対物光学系２３は、被写体からの反射光を、図示しないイメージガイドファイバを介して導光し、撮像素子２４の撮像面に結像させる。
撮像素子２４は、ＣＣＤ（Charge-Coupled Device）又はＣＭＯＳ（Complementary Metal Oxide Semiconductor）等のイメージセンサであって、メイン制御部３４の制御の下に、撮像面に結像されている被写体像（被写体からの反射光）を電気信号である映像信号に変換する。
【００２５】
映像信号処理部２５は、メイン制御部３４の制御の下に、撮像素子２４により得られた映像信号に対して所定の処理を行う。
ＬＣＤ制御部２６は、メイン制御部３４の制御の下に、タッチパネル付ＬＣＤ２のＬＣＤ２７を制御して各種の表示をＬＣＤ２７に行わせる。
【００２６】
タッチパネル付ＬＣＤ２は、ＬＣＤ２７とタッチパネル２８を含み、ＬＣＤ２７上にタッチパネル２８が設けられた構成を有する。
ＬＣＤ２７は、ＬＣＤ制御部２６の制御の下に、各種の表示を行う。例えば、ＬＣＤ２７は、映像信号処理部２５により処理された映像信号に応じた映像（静止画、動画）、各種の情報、及び操作ボタン等を表示する。
【００２７】
タッチパネル２８は、メイン制御部３４の制御の下に駆動し、ユーザからの各種の指示操作を受け付ける。
操作検出部２９は、タッチパネル２８に対するユーザの操作を検出する。
【００２８】
操作部３０は、電源ボタン３、撮影モードボタン４、及びレリーズボタン５を含み、ユーザからの各種の指示操作を受け付ける。
給電制御部３１は、メイン制御部３４の制御の下に、バッテリー３２から供給される電力を内視鏡１の各部へ供給する。なお、バッテリー３２は、例えば二次電池である。
【００２９】
記録媒体３３は、映像信号処理部２５により処理された映像信号に応じた映像（静止画、動画）、及び各種の情報等を記録する。
メイン制御部３４は、内視鏡１の全体動作を制御する。例えば、メイン制御部３４は、操作部３０により受け付けられた操作に応じた処理や、操作検出部２９により検出された操作に応じた処理の実行を制御する。また、例えば、メイン制御部３４は、詳しくは後述するように、操作部３０により受け付けられた所定のボタン押下操作、又は、操作検出部２９により検出された所定の操作に応じて、動作モードを観察モード又は非観察モードに設定する。また、例えば、メイン制御部３４は、設定した動作モードに応じて、操作検出部２９により検出される操作を有効又は無効に設定する。より詳しくは、メイン制御部３４は、動作モードを観察モードに設定した場合には、操作検出部２９により検出される全ての操作又は特定操作以外の操作を無効に設定し、動作モードを非観察モードに設定した場合には、操作検出部２９により検出される全ての操作を有効に設定する。
【００３０】
なお、上述のように構成された内視鏡１は、次のように構成してもよい。
内視鏡１は、撮影機能が一体として構成されたものであるが、その撮影機能をカメラ部として着脱自在に構成してもよい。この場合、内視鏡１は、例えば、接眼部を備えた内視鏡に、カメラ部が、その接眼部に対して着脱自在に構成されるものであってもよい。また、この場合、その接眼部を備えた内視鏡は、例えば、光ファイバーによって光学像を伝送するファイバースコープであってもよいし、リレーレンズによって光学像を伝送する硬性鏡であってもよい。
【００３１】
また、被写体への照明光の照明方式は、同時式又は面順次式等としてもよい。ここで、同時式とは、白色光を被写体に照明する方式であり、面順次式とは、異なる波長帯域の光（異なる色成分の光）を時系列に順次照明する方式である。
【００３２】
また、光源２１は、例えば、挿入部６の先端部分に設けられるようにしてもよい。
また、光源２１は、例えば、白色光を出射する白色ＬＥＤ（Light Emitting Diode）、夫々が異なる波長帯域（Ｒ、Ｇ、Ｂ等）の光を出射する複数のＬＥＤを用いて各ＬＥＤから出射される光の合波により所望の色調の照明光を得るようにしたもの、又はレーザ光源等としてもよい。
【００３３】
また、撮像素子２４は、例えば、挿入部６の先端部分に設けられるようにしてもよい。
また、タッチパネル２８の検出方式は、例えば、静電容量方式、抵抗膜方式、超音波表面弾性波方式、光学方式（赤外線光学イメージング方式）、又は電磁誘導方式等の検出方式であってもよい。なお、静電容量方式のタッチパネルは、例えば電磁波等の外乱の影響により操作の誤検出が行われ得ることが知られている。また、抵抗膜方式のタッチパネルは、例えば液体等の異物付着により操作の誤検出が行われ得ることが知られている。
【００３４】
また、記録媒体３３は、内視鏡１に内蔵される構成としてもよいし、内視鏡１に対して着脱自在の構成としてもよい。後者の場合には、記録媒体３３を、例えば、内視鏡１に対して着脱自在のＳＤカードやＵＳＢ（ Universal Serial Bus ）メモリ等として構成してもよい。
【００３５】
また、バッテリー３２は、内視鏡１に内蔵される構成としてもよいし、内視鏡１に対して着脱自在の構成としてもよい。
また、上述のように構成された内視鏡１において、撮像素子２４は、被検体を撮像する撮像素子の一例である。ＬＣＤ２７は、撮像素子により撮像された被検体の画像を表示可能な表示部の一例である。タッチパネル２８は、表示部に設けられたタッチパネルの一例である。操作検出部２９は、タッチパネルに対する操作を検出する検出部の一例である。メイン制御部３４の一部の機能は、第１の動作モード又は第２の動作モードを設定する第１の設定部の一例である。メイン制御部３４の他の一部の機能は、第１の設定部により設定される動作モードに応じて、検出部により検出される操作を有効又は無効に設定する第２の設定部の一例である。
【００３６】
次に、本実施形態に係る内視鏡１の動作の一例を、図３及び図４を用いて説明する。
図３は、内視鏡１の状態遷移例を示す図である。図４は、ＬＣＤ２７の画面遷移例を示す図である。
【００３７】
図３に示したように、内視鏡１の電源がオフされた状態（Ｓ１）であるときに電源ボタン３が押下されると（Ｓ２）、内視鏡１の電源がオンし、メイン制御部３４は、動作モードを非観察モードに設定し、それに伴って操作検出部２９により検出される全ての操作を有効に設定する。これにより、内視鏡１は、電源がオフされた状態（Ｓ１）から、タッチパネル２８に対する操作を受け付け可能な状態（Ｓ３）に遷移する。また、このときのＬＣＤ２７の表示画面は、図４に示した非観察画面４１となる。
【００３８】
非観察画面４１には、映像信号処理部２５により処理された映像信号に応じた映像４１１と共に、操作ボタンとして設定ボタン４１２及び開始ボタン４１３が表示される。なお、このときの映像４１１は、非観察モード中（即ち非観察時）の映像である。設定ボタン４１２は、設定画面４２の表示を指示するためのボタンである。開始ボタン４１３は、観察開始（検査開始）を指示するためのボタンであり、レリーズボタン５と同様の機能を有する。ここで、例えばユーザが設定ボタン４１２に対するタッチ操作（設定ボタン４１２に対応するタッチパネル２８上の領域に対するタッチ操作）を行うと、ＬＣＤ２７の表示画面は、非観察画面４１から設定画面４２に遷移する。
【００３９】
設定画面４２には、操作ボタンとして、内視鏡１に対する各種の設定を指示するための複数の設定ボタン４２１（４２１ａ、４２１ｂ、４２１ｃ）が表示され、ユーザは所望の設定ボタン４２１に対するタッチ操作（設定ボタン４２１に対応するタッチパネル２８上の領域に対するタッチ操作）を行うことによって、所望の設定を指示することができる。そして、それが終了すると、ＬＣＤ２７の表示画面は、設定画面４２から非観察画面４１に遷移する（戻る）。
【００４０】
一方、図３に示したように、タッチパネル２８に対する操作を受け付け可能な状態（Ｓ３）であるときに、レリーズボタン５の押下、又は、図４に示した非観察画面４１に表示されている開始ボタン４１３に対するタッチ操作（開始ボタン４１３に対応するタッチパネル２８上の領域に対するタッチ操作）が行われると（Ｓ４）、メイン制御部３４は、動作モードを観察モードに設定し、それに伴って操作検出部２９により検出される全ての操作を無効に設定する。これにより、内視鏡１は、タッチパネル２８に対する操作を受け付け可能な状態（Ｓ３）から、タッチパネル２８に対する操作を受け付け不可能な状態（Ｓ５）に遷移する。また、このときに、ＬＣＤ２７の表示画面は、図４に示したように、非観察画面４１から観察画面４３に遷移する。
【００４１】
観察画面４３には、映像信号処理部２５により処理された映像信号に応じた映像４３１のみが表示され、非観察画面４１に表示されていた操作ボタンは表示されない。なお、このときの映像４３１は、観察モード中（即ち観察時）の映像である。
【００４２】
また、図３に示したように、タッチパネル２８に対する操作を受け付け可能な状態（Ｓ３）であるときに電源ボタン３が押下された場合や（Ｓ６）、タッチパネル２８に対する操作を受け付け不可能な状態（Ｓ５）であるときに電源ボタン３が押下された場合には（Ｓ７）、内視鏡１の電源がオフし、内視鏡１は電源がオフされた状態（Ｓ１）に戻る。
【００４３】
以上のように、本実施形態に係る内視鏡１によれば、観察モード中（観察中（検査中））は、操作検出部２９により検出される全ての操作が無効とされるので、観察モード中のタッチパネル２８に対する全ての操作を無効とすることができる。従って、観察モード中に、タッチパネル２８対する、不意の接触、外乱の影響（例えば内視鏡１と共に使用される電気メス等による電磁波の影響等）、及び液体等の異物の付着等によって、ユーザの意図しない操作が検出されることはなく、ユーザの意図しない動作が行われる虞はない。その結果、ユーザの意図しない動作により内視鏡検査の進行が妨げられる虞はない。
【００４４】
また、非観察モード中のＬＣＤ２７の表示画面（図４の非観察画面４１及び設定画面４２参照）では、操作ボタンを表示してユーザからの指示操作を受け付け可能とすることで、内視鏡１の操作性を向上させることができる。
【００４５】
また、観察モード中のＬＣＤ２７の表示画面（図４の観察画面４３参照）では、操作ボタンを非表示とすることで、操作ボタンが画像観察を妨げる虞はなく、ユーザは、観察（検査）に集中することができる。
【００４６】
＜第２の実施形態＞
本発明の第２の実施形態に係る内視鏡は、第１の実施形態に係る内視鏡１の動作（図３に示した内視鏡１の状態遷移及び図４に示したＬＣＤ２７の画面遷移）を、次のように変形したものである。
【００４７】
図５は、第２の実施形態に係る内視鏡１の状態遷移例を示す図である。図６は、第２の実施形態に係るＬＣＤ２７の画面遷移例を示す図である。
図５に示したように、第２の実施形態に係る内視鏡１では、タッチパネル２８に対する操作を受け付け不可能な状態（Ｓ５）であるときに、撮影モードボタン４又はレリーズボタン５に対する所定時間以上の押下操作（「長押し」）が行われると（Ｓ１１）、メイン制御部３４は、動作モードを非観察モードに設定し、それに伴って操作検出部２９により検出される全ての操作を有効に設定する。これにより、内視鏡１は、タッチパネル２８に対する操作を受け付け不可能な状態（Ｓ５）から、タッチパネル２８に対する操作を受け付け可能な状態（Ｓ３）に遷移する（戻る）。また、このときに、ＬＣＤ２７の表示画面は、図６に示したように、観察画面４３から非観察画面４１に遷移する（戻る）。
【００４８】
その他の動作については、第１の実施形態に係る内視鏡１と同様である。
以上のように、第２の実施形態に係る内視鏡１によれば、第１の実施形態に係る内視鏡１と同様の効果が得られることに加え、内視鏡１の電源をオンさせたままで、タッチパネル２８に対する操作を受け付け不可能な状態（Ｓ５）から、タッチパネル２８に対する操作を受け付け可能な状態（Ｓ３）に遷移させる（戻る）ことができる。
【００４９】
＜第３の実施形態＞
本発明の第３の実施形態に係る内視鏡は、第２の実施形態に係る内視鏡１の動作（図５に示した内視鏡１の状態遷移）を、次のように変形したものである。
図７は、第３の実施形態に係る内視鏡１の状態遷移例を示す図である。
【００５０】
図７に示したように、第３の実施形態に係る内視鏡１では、タッチパネル２８に対する操作を受け付け可能な状態（Ｓ３）であるときに、レリーズボタン５の押下、又は、非観察画面４１（図６参照）に表示されている開始ボタン４１３に対するタッチ操作が行われると（Ｓ４）、メイン制御部３４は、動作モードを観察モードに設定し、それに伴って操作検出部２９により検出される特定操作以外の操作を無効に設定する。
【００５１】
なお、特定操作は、タッチパネル２８対する、不意の接触、外乱の影響（例えば内視鏡１と共に使用される電気メス等による電磁波の影響等）、及び液体等の異物の付着等によって誤検出される操作とは異なる操作とされる。その観点から、第３の実施形態では、特定操作を、タッチパネル２８に対する所定時間以上のタッチ操作（「タッチパネル長押し」）とする。但し、特定操作は、これに限らず、例えば、ユーザにより予め登録された操作（タッチパネル２８にタッチしながら所望の軌跡を描く操作等）としてもよい。
【００５２】
これにより、内視鏡１は、タッチパネル２８に対する操作を受け付け可能な状態（Ｓ３）から、タッチパネル２８に対する操作（但し、特定操作を除く）を受け付け不可能な状態（Ｓ２１）に遷移する。また、このときに、ＬＣＤ２７の表示画面は、非観察画面４１から観察画面４３に遷移する（図６参照）。
【００５３】
タッチパネル２８に対する操作（但し、特定操作を除く）を受け付け不可能な状態（Ｓ２１）であるときに、タッチパネル２８に対する特定操作が行われると（Ｓ２２）、メイン制御部３４は、動作モードを非観察モードに設定し、それに伴って操作検出部２９により検出される全ての操作を有効に設定する。これにより、内視鏡１は、タッチパネル２８に対する操作（但し、特定操作を除く）を受け付け不可能な状態（Ｓ２１）から、タッチパネル２８に対する操作を受け付け可能な状態（Ｓ３）に遷移する（戻る）。また、このときに、ＬＣＤ２７の表示画面は、観察画面４３から非観察画面４１に遷移する（戻る）（図６参照）。
【００５４】
また、タッチパネル２８に対する操作（但し、特定操作を除く）を受け付け不可能な状態（Ｓ２１）であるときに電源ボタン３が押下された場合には（Ｓ７）、内視鏡１の電源がオフし、内視鏡１は電源がオフされた状態（Ｓ１）に戻る。
【００５５】
その他の動作については、第２の実施形態に係る内視鏡１と同様である。
以上のように、第３の実施形態に係る内視鏡１によれば、撮影モードボタン４又はレリーズボタン５の長押しの代わりにタッチパネル２８に対する特定操作を行うことで、第２の実施形態に係る内視鏡１と同様に、内視鏡１の電源をオンさせたままで、タッチパネル２８に対する操作（但し、特定操作を除く）を受け付け不可能な状態（Ｓ２１）から、タッチパネル２８に対する操作を受け付け可能な状態（Ｓ３）に遷移させる（戻る）ことができる。
【００５６】
なお、第３の実施形態に係る内視鏡１は、第２の実施形態に係る内視鏡１と同様に、撮影モードボタン４又はレリーズボタン５の長押しを行うことによっても、内視鏡１の電源をオンさせたままで、タッチパネル２８に対する操作（但し、特定操作を除く）を受け付け不可能な状態（Ｓ２１）から、タッチパネル２８に対する操作を受け付け可能な状態（Ｓ３）に遷移する（戻る）ように変形してもよい。この場合は、タッチパネル２８に対する特定操作、又は、撮影モードボタン４あるいはレリーズボタン５の長押しを行うことによって、内視鏡１の電源をオンさせたままで、タッチパネル２８に対する操作（但し、特定操作を除く）を受け付け不可能な状態（Ｓ２１）から、タッチパネル２８に対する操作を受け付け可能な状態（Ｓ３）に遷移させる（戻る）ことができる。
【００５７】
＜第４の実施形態＞
本発明の第４の実施形態に係る内視鏡は、第２の実施形態に係る内視鏡１の動作（図５に示した内視鏡１の状態遷移）において、タッチパネル２８に対する操作を受け付け不可能な状態（Ｓ５）であるときに、撮影モードボタン４又はレリーズボタン５が押下された場合に、次のような動作を行うようにしたものである。
【００５８】
図８は、静止画撮影モード中にレリーズボタン５が押下されたときに行われる動作の一例を示すタイミングチャートである。図９は、動画撮影モード中にレリーズボタン５が押下されたときに行われる動作の一例を示すタイミングチャートである。図１０は、撮影モードボタン４が押下されたときに行われる動作の一例を示すタイミングチャートである。
【００５９】
なお、図８、図９、及び図１０において、「長押し検出信号」は、所定時間以上のボタン押下（長押し）を検出するための信号であって、撮影モードボタン４又はレリーズボタン５の押下開始を検出してから所定時間経過するまでの間のみ“Ｈ”になり、それ以外では“Ｌ”になる信号である。「ボタン短押し時ボタン信号」は、撮影モードボタン４又はレリーズボタン５が所定時間未満押下されたときのボタン信号である。「ボタン長押し時ボタン信号」は、撮影モードボタン４又はレリーズボタン５が所定時間以上押下されたときのボタン信号である。なお、ボタン信号は、撮影モードボタン４又はレリーズボタン５が押下されている間のみ“Ｌ”になり、それ以外では“Ｈ”になる信号である。
【００６０】
図８に示したように、静止画撮影モード中のレリーズボタン５の押下が、所定時間未満のボタン押下（短押し）であった場合には、「レリーズボタン短押し時ボタン信号」に示したように、ボタン押下が開始した時点に、静止画撮影処理の前半処理（静止画記録用データを内部メモリ（例えばメイン制御部３４内のメモリ）に一時記録する処理）を開始し、ボタン押下が終了した時点に、静止画撮影処理の後半処理（内部メモリに一時記録された静止画記録用データを記録媒体３３に記録する処理）を開始する。なお、静止画撮影処理の前半処理は第１の機能の一例であり、静止画撮影処理の後半処理は第２の機能の一例である。
【００６１】
一方、静止画撮影モード中のレリーズボタン５の押下が、所定時間以上のボタン押下（長押し）であった場合には、「レリーズボタン長押し時ボタン信号」に示したように、ボタン押下が開始した時点に、上述の静止画撮影処理の前半処理を開始し、所定時間経過した時点（「長押し検出信号」が“Ｈ”から“Ｌ”になった時点）に、静止画撮影処理の前半処理の処理結果を破棄すると共に、メイン制御部３４が、動作モードを非観察モードに設定してタッチパネル２８に対する操作を受け付け可能な状態にする。なお、静止画撮影処理の前半処理の処理結果を破棄するとは、例えば、内部メモリに一時記録された静止画記録用データを削除又は無効にすることをいう。また、この場合には、静止画撮影処理の後半処理は行われない。
【００６２】
図９に示したように、動画撮影モード中の動画撮影開始指示としてのレリーズボタン５の押下が、所定時間未満のボタン押下（短押し）であった場合には、「レリーズボタン短押し時ボタン信号」に示したように、ボタン押下が開始した時点に、動画撮影開始処理の前半処理（記録媒体３３への動画記録用データの記録を開始する処理）を開始し、ボタン押下が終了した時点に、動画撮影開始処理の後半処理（記録媒体３３にファイル作成情報を記録し、動画記録用データがファイルとして記録媒体３３に記録されるようにする処理）を開始する。なお、動画撮影開始処理の前半処理は第１の機能の一例であり、動画撮影開始処理の後半処理は第２の機能の一例である。動画記録用データは、公知の種々のコンテナフォーマット・動画圧縮方式を採用し得る。例えば、コンテナフォーマットとしてＭＰ４フォーマットを用い、動画圧縮方式としてＨ．２６４を用いるものでもよい。
【００６３】
一方、動画撮影モード中の動画撮影開始指示としてのレリーズボタン５の押下が、所定時間以上のボタン押下（長押し）であった場合には、「レリーズボタン長押し時ボタン信号」に示したように、ボタン押下が開始した時点に、上述の動画撮影開始処理の前半処理を開始し、所定時間経過した時点（「長押し検出信号」が“Ｈ”から“Ｌ”になった時点）に、動画撮影開始処理の前半処理の処理結果を破棄すると共に、メイン制御部３４が、動作モードを非観察モードに設定してタッチパネル２８に対する操作を受け付け可能な状態にする。なお、動画撮影開始処理の前半処理の処理結果を破棄するとは、例えば、記録媒体３３に記録された動画記録用データを削除又は無効にすることをいう。また、この場合には、動画撮影開始処理の後半処理は行われない。
【００６４】
図１０に示したように、撮影モードボタン４の押下が、所定時間未満のボタン押下（短押し）であった場合には、「撮影モードボタン短押し時ボタン信号」に示したように、ボタン押下が開始した時点に、撮影モード切り替え処理の前半処理（撮影モードを切り替える処理）を開始し、ボタン押下が終了した時点に、撮影モード切り替え処理の後半処理（切り替えた撮影モードを確定する処理）を開始する。なお、撮影モード切り替え処理の前半処理は第１の機能の一例であり、撮影モード切り替え処理の後半処理は第２の機能の一例である。
【００６５】
一方、撮影モードボタン４の押下が、所定時間以上のボタン押下（長押し）であった場合には、「撮影モードボタン長押し時ボタン信号」に示したように、ボタン押下が開始した時点に、上述の撮影モード切り替え処理の前半処理を開始し、所定時間経過した時点（「長押し検出信号」が“Ｈ”から“Ｌ”になった時点）に、撮影モード切り替え処理の前半処理の処理結果を破棄すると共に、メイン制御部３４が、動作モードを非観察モードに設定してタッチパネル２８に対する操作を受け付け可能な状態にする。なお、撮影モード切り替え処理の前半処理の処理結果を破棄するとは、その前半処理により切り替えられた撮影モードを切り替え前の状態に戻すことをいう。また、この場合には、撮影モード切り替え処理の後半処理は行われない。
【００６６】
以上のように、第４の実施形態に係る内視鏡１によれば、タッチパネル２８に対する操作を受け付け不可能な状態（図５のＳ５）であるときに、撮影モードボタン４又はレリーズボタン５の短押しを行うことによって、本来の操作ボタンとしての指示機能（例えば撮影モードボタン４における撮影モードの切り替え指示機能）を実現することができると共に、撮影モードボタン４又はレリーズボタン５の長押しを行うことによって、タッチパネル２８に対する操作を受け付け可能な状態（図５のＳ３）へ遷移させる指示機能をも実現することができる。
【００６７】
＜第５の実施形態＞
本発明の第５の実施形態に係る内視鏡は、第１乃至第４のいずれか１つの実施形態に係る内視鏡１おいて、更に、無線通信機能を備えるようにしたものである。
図１１は、第５の実施形態に係る内視鏡１のシステム構成例を示す図である。
【００６８】
図１１に示したように、第５の実施形態に係る内視鏡１は、外部装置との間で無線通信を行う無線通信部３５を更に含む。なお、外部装置は、例えば、外部記録装置や、無線通信部３５により無線送信されたデータを、病院内ネットワークを介して受信するサーバ等である。また、これに伴い、メイン制御部３４は、更に、動作モードを観察モードに設定した場合には、無線通信部３５の機能（無線通信機能）をオフにし、動作モードを非観察モードに設定した場合には、無線通信部３５の機能（無線通信機能）をオンにするように、無線通信部３５を制御する。
【００６９】
なお、第５の実施形態に係る内視鏡１では、動作モードが観察モードに設定されているときに電源ボタン３が押下されると、電源がオフされる前に動作モードが非観察モードに設定されるものとする。
【００７０】
その他の構成については、図２に示したものと同様である。
このような構成に伴い、第５の実施形態に係る内視鏡１では、次のような動作も行われる。
【００７１】
図１２は、第５の実施形態に係る内視鏡１の動作の一例を示すフローチャートである。
図１２に示したように、第５の実施形態に係る内視鏡１では、電源ボタン３の押下により内視鏡１の電源がオンすると、メイン制御部３４は、動作モードを非観察モードに設定し、無線通信部３５の機能をオンする（Ｓ３１）。
【００７２】
その後、レリーズボタン５の押下又は非観察画面４１（例えば図４参照）に表示されている開始ボタン４１３に対するタッチ操作が行われると、メイン制御部３４は、動作モードを観察モードに設定し、無線通信部３５の機能をオフする（Ｓ３２）。
【００７３】
その後、観察（検査）を終了させるために電源ボタン３が押下されると、メイン制御部３４は、動作モードを非観察モードに設定し、無線通信部３５の機能をオンする。そして、無線通信部３５が、記録媒体３３に記録されたデータ（観察モード中に記録された静止画記録用データ又は動画記録用データ等の検査データ）を外部装置へ無線送信し（Ｓ３３）、内視鏡１の電源がオフする。
【００７４】
以上のように、第５の実施形態に係る内視鏡１によれば、第１乃至第４のいずれか１つの実施形態に係る内視鏡１と同様の効果が得られることに加え、観察モード中は、無線通信部３５の機能がオフされ、無線通信が行われなくなるので、無線通信により生じる電磁波が、観察モード中に内視鏡１と共に使用される他の医療機器に悪影響を及ぼす虞（例えば他の医療機器を誤動作させる虞）はなく、その悪影響による不測の事態の発生を防止することができる。
【００７５】
なお、第５の実施形態に係る内視鏡１において、図１２に示したフローチャートの動作を、次のように変形してもよい。
図１３は、その変形例に係る内視鏡１の動作の一例を示すフローチャートである。
【００７６】
図１３に示したように、その変形例に係る内視鏡１では、電源ボタン３の押下により内視鏡１の電源がオンすると、図１２のＳ３１と同様に、メイン制御部３４が、動作モードを非観察モードに設定し、無線通信部３５の機能をオンする（Ｓ４１）。
【００７７】
続いて、メイン制御部３４は、未送信データが有るか否かを判定する（Ｓ４２）。ここで、未送信データとは、過去の無線送信時に、無線送信が中断され、無線送信できなかったデータのことである。過去の無線送信とは、過去のＳ４２の判定結果がＹｅｓであった場合に行われた無線送信、又は、過去のＳ４４で行われた無線送信のことである。
【００７８】
Ｓ４２の判定結果がＹｅｓの場合、無線通信部３５は、未送信データを外部装置へ無線送信する。但し、無線送信中に、レリーズボタン５の押下又は非観察画面４１（例えば図４参照）に表示されている開始ボタン４１３に対するタッチ操作が行われた場合、或いは、ネットワーク障害等により一定時間以上病院内ネットワークに接続することができなかった場合等には、無線送信が中断される。
【００７９】
一方、Ｓ４２の判定結果がＮｏの場合には、Ｓ４１へ戻る。
観察モードが非観察モードで無線通信部３５の機能がオンされているときに、レリーズボタン５の押下又は非観察画面４１（例えば図４参照）に表示されている開始ボタン４１３に対するタッチ操作が行われると、図１２のＳ３２と同様に、メイン制御部３４が、動作モードを観察モードに設定し、無線通信部３５の機能をオフする（Ｓ４３）。
【００８０】
その後、観察（検査）を終了させるために電源ボタン３が押下されると、メイン制御部３４は、動作モードを非観察モードに設定し、無線通信部３５の機能をオンする。そして、無線通信部３５が、図１２のＳ３３と同様に、記録媒体３３に記録されたデータを外部装置へ無線送信する（Ｓ４４）。但し、ネットワーク障害等により一定時間以上病院内ネットワークに接続することができなかった場合等には、無線送信が中断される。なお、Ｓ４４では、過去の無線送信時の未送信データがある場合には、その未送信データも含めて外部装置へ無線送信するようにしてもよい。
【００８１】
Ｓ４４が終了すると、内視鏡１の電源がオフする。
このような第５の実施形態の変形例に係る内視鏡１によれば、過去の無線送信時の未送信データがある場合には、その未送信データが、次回の電源ボタン３の押下により内視鏡１の電源がオンしたとき等に送信されるようになるので、ユーザの利便性を確保することができる。
【００８２】
＜第６の実施形態＞
本発明の第６の実施形態に係る内視鏡は、第１乃至第５のいずれか１つの実施形態に係る内視鏡１において、更に、故障等の異常が生じたときに、その異常内容をユーザに報知するための警告表示を行うようにしたものである。
【００８３】
図１４は、第６の実施形態に係る内視鏡１において、動作モードの設定（動作モードの遷移）に応じて行われる表示動作の一例を示すフローチャートである。
図１４に示したように、本動作が開始すると、メイン制御部３４は、まず、ＬＣＤ２７の表示画面を、設定された動作モードに応じた画面（図４又は図６に示した非観察画面４１、設定画面４２、又は観察画面４３）にする（Ｓ５１）。
【００８４】
続いて、メイン制御部３４は、内視鏡１に故障等の異常が有るか否かを判定する（Ｓ５２）。
Ｓ５２の判定結果がＹｅｓの場合、メイン制御部３４は、異常の報知優先度に応じて、ＬＣＤ２７の表示画面上に警告表示を行う（Ｓ５３）。より詳しくは、図１５及び図１６を用いて後述するように、異常の報知優先度が相対的に高い場合には動作モードによらず警告表示を行い、異常の報知優先度が相対的に低い場合には非観察モードである場合に限り警告表示を行う。なお、異常の報知優先度が相対的に高い場合とは、異常が、内視鏡検査に支障をきたす異常である場合や、早期対応が必要な異常である場合等である。また、異常の報知優先度が相対的に低い場合とは、異常が、内視鏡検査に支障をきたさない異常である場合や、早期対応が不要な軽微な異常である場合等であり、例えば、ＲＴＣ（Real Time Clock）バッテリー切れに係る異常である場合等である。
【００８５】
一方、Ｓ５２の判定結果がＮｏの場合、又は、Ｓ５３の後は、本動作が終了する。
図１５は、異常の報知優先度が相対的に高い場合に、図１４のＳ５３で警告表示が行われるＬＣＤ２７の表示画面例を示す図である。
【００８６】
図１５に示したように、異常の報知優先度が相対的に高い場合には、動作モードによらず、異常内容をユーザに報知する警告表示（図１５の「故障：○○○○○○」を参照）を行う。すなわち、非観察モード中の非観察画面４１及び設定画面４２上であっても、観察モード中の観察画面４３上であっても、警告表示を行う。
【００８７】
但し、その警告表示は、図１５に示したように、非観察画面４１や設定画面４２上での操作ボタンの操作や観察画面４３上での画像観察の妨げにならない位置に行われる。なお、この警告表示は、操作ボタンの操作や画像観察の妨げにならない位置であれば、図１５に示した位置に限らず、他の位置でもよい。
【００８８】
また、その警告表示は、非観察画面４１、設定画面４２、及び観察画面４３の各画面上に継続して行われてよいし、その各画面への画面遷移が行われてから所定時間の間だけ行われるようにしてもよい。
【００８９】
図１６は、異常の報知優先度が相対的に低い場合に、図１４のＳ５３で警告表示が行われるＬＣＤ２７の表示画面例を示す図である。
図１６に示したように、異常の報知優先度が相対的に低い場合には、動作モードが非観察モードである場合に限り、異常内容をユーザに報知する警告表示（図１６の「故障：△△△△△△」を参照）を行う。すなわち、非観察モード中の非観察画面４１及び設定画面４２上に警告表示が行われ、観察モード中の観察画面４３上には警告表示が行われない。
【００９０】
但し、非観察モード中に表示される警告表示は、異常の報知優先度が相対的に高い場合と同様に、図１６に示したように、非観察画面４１や設定画面４２上での操作ボタンの操作の妨げにならない位置に行われる。なお、この警告表示も、操作ボタンの操作の妨げにならない位置であれば、図１６に示した位置に限らず、他の位置でもよい。また、この場合は、異常の報知優先度が相対的に低いことから、非観察画面４１上のみに警告表示を行い、設定画面４２上には警告表示を行わないようにしてもよい。
【００９１】
また、その警告表示は、非観察画面４１及び設定画面４２の各画面上、又は、非観察画面４１上のみに継続して行われてもよいし、その各画面への画面遷移が行われてから所定時間の間だけ行われるようにしてもよい。
【００９２】
以上のように、第６の実施形態に係る内視鏡１によれば、第１乃至第５のいずれか１つの実施形態に係る内視鏡１と同様の効果が得られることに加え、内視鏡１に発生している異常の報知優先度に応じて警告表示が行われるようになるので、ユーザに異常を認識させ、その対応（例えば修理等）を促すのに最適なタイミングで、警告表示を行うことができる。
【００９３】
なお、上述の第１乃至第６の実施形態に係る内視鏡１においては、１つの実施形態に係る内視鏡１を、他の実施形態に係る内視鏡１の構成及び動作と組み合わせて、変形するようにしてもよい。
【００９４】
以上、上述した実施形態は、発明の理解を容易にするために本発明の具体例を示したものであり、本発明は上述の実施形態に限定されるものではない。本発明は、特許請求の範囲に規定された本発明の思想を逸脱しない範囲において、さまざまな変形、変更が可能である。
【符号の説明】
【００９５】
１          内視鏡
２          タッチパネル付ＬＣＤ
３          電源ボタン
４          撮影モードボタン
５          レリーズボタン
６          挿入部
２１        光源
２２        照明光学系
２３        対物光学系
２４        撮像素子
２５        映像信号処理部
２６        ＬＣＤ制御部
２７        ＬＣＤ
２８        タッチパネル
２９        操作検出部
３０        操作部
３１        給電制御部
３２        バッテリー
３３        記録媒体
３４        メイン制御部
３５        無線通信部
４１        非観察画面
４２        設定画面
４３        観察画面
４１１      映像
４１２      設定ボタン
４１３      開始ボタン
４２１      設定ボタン
４３１      映像
【図１】
0006594727.tif 000002
【図２】
0006594727.tif 000003
【図３】
0006594727.tif 000004
【図４】
0006594727.tif 000005
【図５】
0006594727.tif 000006
【図６】
0006594727.tif 000007
【図７】
0006594727.tif 000008
【図８】
0006594727.tif 000009
【図９】
0006594727.tif 000010
【図１０】
0006594727.tif 000011
【図１１】
0006594727.tif 000012
【図１２】
0006594727.tif 000013
【図１３】
0006594727.tif 000014
【図１４】
0006594727.tif 000015
【図１５】
0006594727.tif 000016
【図１６】
0006594727.tif 000017